(57)【要約】【課題】汚染土壌から重金属類を効率的に除去する。【解決手段】砒素が吸着した状態の土粒子５０及びコロイド５２を地下水１８に分散させて地下水１８（汚染水１９）を回収することで、汚染土壌２０から砒素が除去される。また、振動装置１３０で地下水１８に振動を与えることで、汚染土壌２０の砒素が吸着した土粒子５０及びコロイド５２の地下水１８への分散が促進され、この結果、汚染土壌２０から砒素６０が効果的に除去される。【選択図】図１
2014079713.tif 000002
【特許請求の範囲】
【請求項１】
重金属類が吸着した土粒子及びコロイドを分散させる分散剤を含む水を汚染土壌に注水する注水工程と、
前記汚染土壌に注水され、前記重金属類が吸着した前記土粒子及び前記コロイドが分散した前記水を回収する回収工程と、
を備える汚染土壌の浄化方法。
【請求項２】
前記分散剤は、アクリル酸系重合物、ポリカルボン酸塩、フミン酸ソーダ、リグニンスルフォン酸ソーダ、ヘキサメタりん酸ナトリウム、ピロリん酸ナトリウム、及びトリポリりん酸ナトリウム、の少なくとも一種を含む、
請求項１に記載の汚染土壌の浄化方法。
【請求項３】
前記重金属類は、砒素、セレン、ふっ素、六価クロム、ホウ素、鉛、水銀、シアン、及びカドミウムの少なくとも一種を含む、
請求項１又は請求項２に記載の汚染土壌の浄化方法。
【請求項４】
前記汚染土壌に注水された前記水に振動を与える振動工程を備える、
請求項１〜請求項３のいずれか１項に記載の汚染土壌の浄化方法。
【請求項５】
重金属類が吸着した土粒子及びコロイドを分散させる分散剤を含む水を汚染土壌に注水する注水井戸と、
前記汚染土壌に注水され、前記重金属類が吸着した前記土粒子及び前記コロイドが分散した前記水を汲み上げる揚水井戸と、
を備える浄化装置。
【請求項６】
前記分散剤は、アクリル酸系重合物、ポリカルボン酸塩、フミン酸ソーダ、リグニンスルフォン酸ソーダ、ヘキサメタりん酸ナトリウム、ピロリん酸ナトリウム、及びトリポリりん酸ナトリウム、の少なくとも一種が含まれる、
請求項５記載の浄化装置。
【請求項７】
前記重金属類は、砒素、セレン、ふっ素、六価クロム、ホウ素、鉛、水銀、シアン、及びカドミウムの少なくとも一種が含まれる、
請求項５又は請求項６に記載の浄化装置。
【請求項８】
前記汚染土壌に注水された前記水に振動を与える振動手段を備える、
請求項５〜請求項７のいずれか１項に記載の浄化装置。
【発明の詳細な説明】
【技術分野】
【０００１】
本発明は、汚染土壌の浄化方法及び浄化装置に関する。
【背景技術】
【０００２】
特許文献１には、汚染物質によって汚染され地下水位よりも下部にある汚染域近傍に注水する注水井戸を設けるとともに、注水井戸からの注入水が汚染域を経由するように揚水井戸設け、揚水井戸から汲み上げた地下水を水処理システムによって浄化する汚染土壌の原位置浄化装置が記載されている。そして、この先行技術には、注入水に弱酸性物質または弱アルカリ性物質を混入して、重金属等の注入水への溶出を促進させる技術が開示されている。
【０００３】
特許文献２には、重金属含有水田土壌を薬剤水溶液で洗浄した後、水で洗浄する原位置浄化方法が記載されている。そして、この先行技術には、耕盤から水面までの深さが３５ｃｍ以上になるように、薬剤水溶液又は水を加えて洗浄する技術が開示されている。
【０００４】
しかし、上記従来技術は、汚染土壌から重金属類を効率的に除去して汚染土壌を浄化する点で改善の余地がある。
【先行技術文献】
【特許文献】
【０００５】
【特許文献１】特開２００４−３３００８４号公報
【特許文献２】特開２００７−３０１４９１号公報
【発明の概要】
【発明が解決しようとする課題】
【０００６】
本発明は、上記事実に鑑み、汚染土壌から重金属類を効率的に除去することが課題である。
【課題を解決するための手段】
【０００７】
請求項１の発明は、重金属類が吸着した土粒子及びコロイドを分散させる分散剤を含む水を汚染土壌に注水する注水工程と、前記汚染土壌に注水され、前記重金属類が吸着した前記土粒子及び前記コロイドが分散した前記水を回収する回収工程と、を備える。
【０００８】
請求項１に記載の発明では、重金属類が吸着した土粒子及びコロイドを分散する分散剤を含む水を汚染土壌に注水する。汚染土壌に注水された水に含まれる分散剤によって、汚染土壌から重金属類が吸着した土粒子及びコロイドが分離し水に分散する。そして、重金属類が吸着した土粒子及びコロイドが分散した水を回収することで、汚染土壌から重金属類が除去される。
【０００９】
請求項２の発明は、前記分散剤は、アクリル酸系重合物、ポリカルボン酸塩、フミン酸ソーダ、リグニンスルフォン酸ソーダ、ヘキサメタりん酸ナトリウム、ピロリん酸ナトリウム、及びトリポリりん酸ナトリウムの少なくとも一種を含む。
【００１０】
請求項２に記載の発明では、アクリル酸系重合物、ポリカルボン酸塩、フミン酸ソーダ、リグニンスルフォン酸ソーダ、ヘキサメタりん酸ナトリウム、ピロリん酸ナトリウム、及びトリポリりん酸ナトリウムで、重金属類が吸着した土粒子又はコロイドを液中に分散させることで分離回収するので、酸やアルカリを用いて重金属類を溶出させて回収する場合と比較して、土壌のｐＨの変化が抑制され、分離された重金属類の回収が容易である点で、環境負荷がより抑制される。なお、アクリル酸系重合物は中性から弱アルカリ性であり、土壌のｐＨの変化を小さくする観点からは、アクリル酸系重合物が望ましい。
【００１１】
請求項３の発明は、前記重金属類は、砒素、セレン、ふっ素、六価クロム、ホウ素、鉛、水銀、シアン、及びカドミウムの少なくとも一種を含む。
【００１２】
請求項３に記載の発明では、砒素、セレン、ふっ素、六価クロム、ホウ素、鉛、水銀、シアン、及びカドミウムの少なくとも一種を含む汚染土壌を効果的に浄化することができる。
【００１３】
請求項４の発明は、前記汚染土壌に注水された前記水に振動を与える振動工程を備える。
【００１４】
請求項４に記載の発明では、水に振動を与えることで、汚染土壌から重金属類が吸着した土粒子及びコロイドの水への分散が促進される。
【００１５】
請求項５の発明は、重金属類が吸着した土粒子及びコロイドを分散させる分散剤を含む水を汚染土壌に注水する注水井戸と、前記汚染土壌に注水され、前記重金属類が吸着した前記土粒子及び前記コロイドが分散した前記水を汲み上げる揚水井戸と、を備える。
【００１６】
請求項５に記載の発明では、重金属類が吸着した土粒子及びコロイドを分散する分散剤を含む水を汚染土壌に注水井戸で注水する。汚染土壌に注水された水に含まれる分散剤によって、汚染土壌から重金属類が吸着した土粒子及びコロイドが分離し水に分散する。そして、重金属類が吸着した土粒子及びコロイドが分散した水を揚水井戸で汲み上げて回収することで、汚染土壌から重金属類が除去される。
【００１７】
請求項６の発明は、前記分散剤は、アクリル酸系重合物、ポリカルボン酸塩、フミン酸ソーダ、リグニンスルフォン酸ソーダ、ヘキサメタりん酸ナトリウム、ピロリん酸ナトリウム、及びトリポリりん酸ナトリウムの少なくとも一種が含まれる。
【００１８】
請求項６に記載の発明では、アクリル酸系重合物、ポリカルボン酸塩、フミン酸ソーダ、リグニンスルフォン酸ソーダ、ヘキサメタりん酸ナトリウム、ピロリん酸ナトリウム、及びトリポリりん酸ナトリウムで、重金属類が吸着した土粒子又はコロイドを液中に分散させることで分離回収するので、酸やアルカリを用いて重金属類を溶出させて回収する場合と比較して、土壌のｐＨの変化が抑制され、分離された重金属類の回収が容易である点で、環境負荷がより抑制される。なお、アクリル酸系重合物は中性から弱アルカリ性であり、土壌のｐＨの変化を小さくする観点からは、アクリル酸系重合物が望ましい。
【００１９】
請求項７の発明は、前記重金属類は、砒素、セレン、ふっ素、六価クロム、ホウ素、鉛、水銀、シアン、及びカドミウムの少なくとも一種が含まれる。
【００２０】
請求項７に記載の発明では、砒素、セレン、ふっ素、六価クロム、ホウ素、鉛、水銀、シアン、及びカドミウムの少なくとも一種を含む汚染土壌を効果的に浄化することができる。
【００２１】
請求項８の発明は、前記汚染土壌に注水された前記水に振動を与える振動手段を備える。
【００２２】
請求項８に記載の発明では、振動手段によって水に振動を与えることで、汚染土壌から重金属類が吸着した土粒子及びコロイドの水への分散が促進される。
【発明の効果】
【００２３】
本発明によれば、汚染土壌から重金属類を効率的に除去することができる。
【図面の簡単な説明】
【００２４】
【図１】本発明の実施形態にかかる浄化装置を示す模式図である。
【図２】土粒子及びコロイドに砒素が付着している状態を示す概念図である。
【図３】分散剤の仕様を記載した表である。
【図４】揚水井戸から汲み上げられた汚染水（地下水）の砒素濃度及び砒素回収累積量を示すグラフである。
【図５】土粒子及びコロイドに砒素が付着していることを確認する実験を（Ａ）〜（Ｅ）に順番に示す説明図である。
【図６】分散剤による砒素の除去効果を確認する実験を説明する説明図である。
【図７】図６に示す実験の結果を示すグラフである。
【発明を実施するための形態】
【００２５】
本発明の一実施形態にかかる汚染土壌の浄化方法及び浄化装置について説明する。
【００２６】
［土壌］
図１に示すように、地盤１０における地下水１８の水位Ｓの上側は砂やシルト等で構成された透水層１２となっている。また、地盤１０における地下水位Ｓの下側は土粒子５０及びコロイド５２（図２参照）や礫を含んで構成された帯水層１４となっている。なお、本実施形態の帯水層１４の透水性は、１０−４ｃｍ／秒以上とされている。
【００２７】
帯水層１４には、重金属類である砒素６０（図２を参照）を含む汚染土壌２０が存在する。なお、汚染土壌２０は、地表から約３ｍ〜５ｍ程度の深度に形成されている。また、汚染土壌２０の下は、比較的透水性が低い非汚染土壌１５となっている。なお、非汚染土とは、汚染物質（本実施形態では砒素６０）に関する土壌環境基準に適合する土壌である。
【００２８】
図２に示すように、汚染土壌２０中において、汚染土壌２０に含まれる砒素６０は、微細な土粒子５０及びコロイド５２に吸着している。なお、砒素６０はイオン化することで負の電荷を持ち、微細な土粒子５０及びコロイド５２はこれらに含まれる鉄がイオン化することで正の電荷を持っている。そして、負の電荷を持つ砒素６０が正の電荷を持つ土粒子５０及びコロイド５２に電気的に吸着している。
【００２９】
［浄化装置］
図１に示すように本実施形態の浄化装置１００は、注水井戸１１０と、汚染土壌２０から地下水１８を汲み上げる揚水井戸１２０と、汚染土壌２０の地下水１８に振動を与える振動装置１３０と、を備えている。なお、図１では、注水井戸１１０の両側に間隔をあけて、それぞれ揚水井戸１２０が設けられている。しかし、この図１の配置は一例であって、この構成に特定されるものではない。
【００３０】
注水井戸１１０は、微細な土粒子５０及コロイド５２（図２参照）を地下水１８に分散させる分散剤を含む水８０（以降「洗浄水８０」と記す場合がある）を汚染土壌２０に注水する。
【００３１】
なお、本実施形態の分散剤は、中性から弱アルカリ性のアクリルアミド系のアクリル酸系重合物を用いている。具体的には、(株)テルナイト製の「テルフローＥ」を用いている。なお、テルフローＥの詳細を図３に示す。
【００３２】
図１に示すように、注水井戸１１０及び揚水井戸１２０は、それぞれ下端部１１０Ａ，１２０Ａが、汚染土壌２０の下の非汚染土壌１５に達するように設けられている。また、注水井戸１１０から注入した洗浄水８０が汚染土壌２０を経由するように揚水井戸１２０が設けられている。
【００３３】
注水井戸１１０及び揚水井戸１２０における汚染土壌２０の深度に対応する位置には、それぞれ編目状のスクリーン１１２，１２２が設けられている。そして、注水井戸１１０のスクリーン１１２から洗浄水８０を汚染土壌２０に吐出すると共に、揚水井戸１２０のスクリーン１２０から地下水１８を吸入する。また、スクリーン１１２，１２２を設けることで、注水井戸１１０及び揚水井戸１２０への土壌の侵入が防止される。
【００３４】
振動装置１３０は、鋼製のパイプ１３２と振動源１３４とを含んで構成されている。パイプ１３２は、注水井戸１１０と揚水井戸１２０との間に設けられ、下端部１３２Ａが汚染土壌２０の下の非汚染土壌１５に達するように埋設されている。
【００３５】
地上に突出した上端部１３２Ｂを振動源１３４によって振動させることでパイプ１３２全体が振動する。そして、このパイプ３２の振動が汚染土壌２０の地下水１８に伝達され、地下水１８が振動する。
【００３６】
なお、振動装置１３０は、このような構成に限定されるものではない。汚染土壌２０の地下水１８に振動を与え地下水１８が振動することができれば、どのような構成の装置であってもよい。
【００３７】
［浄化方法］
注水井戸１１０から図示していないポンプによって洗浄水８０を汚染土壌２０に注水する。汚染土壌２０に注水された洗浄水８０に含まれる分散剤（図３参照）によって、汚染土壌２０における砒素６０が吸着した状態の土粒子５０及びコロイド５２（図２参照）が分離し、地下水１８に分散する。
【００３８】
別の観点から説明すると、土粒子５０及びコロイド５２から砒素６０を分離して地下水１８に抽出させるのではなく、砒素６０が吸着した土粒子５０及びコロイド５２を地下水１８に分散させて地下水１８に砒素６０を抽出させている。
【００３９】
また、このとき振動装置１３０のパイプ１３２を振動させることで、地下水１８が振動し、これにより土粒子５０及びコロイド５２の地下水１８への分散が促進される。
【００４０】
そして、砒素６０（図２参照）が吸着した土粒子５０及びコロイド５２が分散した地下水１８（汚染水１９）を揚水井戸１２０から図示していないポンプで汲み上げて回収することで、汚染土壌２０から砒素６０（図２参照）が除去される。
【００４１】
なお、揚水井戸１２０が回収した砒素６０が吸着した土粒子５０及びコロイド５２が分散した汚染水１９は、別の場所に設けた凝集沈殿処理施設等で処理する。なお、現地で汚染水１９から砒素６０を除去する処理を行って地盤１０に注水して戻してもよい。
【００４２】
＜作用及び効果＞
つぎに本実施形態の作用及び効果について説明する。
【００４３】
砒素６０が吸着した土粒子５０及びコロイド５２（図２参照）を地下水１８に分散させ、地下水１８（汚染水１９）を回収することで、例えば土粒子５０及びコロイド５２から砒素６０を分離して地下水１８に抽出させる場合と比較し、汚染土壌２０から砒素６０が効果的に除去される。
【００４４】
また、振動装置１３０で地下水１８に振動を与えることで、汚染土壌２０の砒素６０が吸着した土粒子５０及びコロイド５２の地下水１８への分散が促進され、この結果、汚染土壌２０から砒素６０が更に効果的に除去される。
【００４５】
また、分散剤（図３参照）として、アクリル酸系重合物を使用することで、地盤１０のｐＨの変化を小さくすることができる。
【００４６】
別の観点から説明すると、砒素６０が吸着した土粒子５０やコロイド５２を分散剤にて分散させることで分離回収するので、酸やアルカリを用いて砒素６０を溶出させて回収する場合と比較して、地盤１０のｐＨの変化が抑制され、分離された砒素６０の回収が容易である点で、環境負荷がより抑制される。
【００４７】
［汚染土壌の浄化結果］
つぎに、地盤１０の汚染土壌２０から砒素６０が除去され浄化されたことを確認した結果について説明する。
【００４８】
図４には、揚水井戸１２０で汲み上げられた汚染水１９（図１参照）の砒素６０（図２参照）の濃度と砒素６０の回収量累計とを示すグラフが図示されている。なお、（Ａ）のグラフは一方の揚水井戸１２０が汲み上げた汚染水１９の結果であり、（Ｂ）は他方の揚水井戸１２０が汲み上げた汚染水１９の結果である。また、横軸は時間経過（週）を示している。
【００４９】
そして、この図４に示されているグラフから、約９週間目で汚染水１９（地下水１８）の砒素の濃度がほぼ０（ゼロ）となると共に、累積回収量が飽和している。つまり、本発明で除去可能な汚染土壌２０の砒素６０の除去が完了したことが判る（浄化完了後の土壌を採取し、分析を行った結果、土壌環境基準を満たしていたことから、浄化が完了したことが判る）。
【００５０】
［土粒子及びコロイドに砒素が吸着していることの検証実験］
つぎに、汚染土壌２０に含まれる砒素６０が微細な土粒子５０及びコロイド５２に吸着していることを確認した実験の結果について説明する。
【００５１】
実験は、平成１５年環境省告示第１８号に準拠し、ろ液（環告１８号に基づく検液）の作成と測定を行った。具体的には、下記手順で行った。
図５（Ａ）に示すように、汚染土壌２０を採取して風乾させ、非金属製の２ｍｍのふるい１５０を通過させる。
図５（Ｂ）に示すように、ふるいをかけた土壌２０Ａと溶媒１５２とを重量体積比１０％の割合で混合する。なお、溶媒１５２は、純水に塩酸を加え、水素イオン濃度指数が５．８以上で６．３以下となるようにしたものである。
図５（Ｃ）に示すように、土壌２０Ａと溶媒１５２との混合物２２を、常温・常圧において、振とう幅４〜５ｃｍの毎分２００回の条件で６時間連続振とうさせる。
図５（Ｄ）に示すように、更に、混合物２２を毎分３０００回転で２０分間遠心分離する。
図５（Ｅ）に示すように、遠心分離した混合物２２の上澄み液を、孔径０．４５μｍのメンブランフィルター１５４でろ過する。
【００５２】
このろ過したろ液２４が環告１８号に基づく検液である。そして、ろ液２４（検液）は、０．４５μｍのメンブランフィルター１５４を通り抜けた微粒子、すなわち微細な土粒子５０及びコロイド５２（図２参照）が存在するため濁っている。そして、ろ過した液体２４の定量分析を行った結果、砒素濃度が０．０１９ｍｇ／Ｌであった。また、このろ過した液体２４を、更に２時間遠心分離をして、透明となった上澄みの砒素濃度は０．００６ｍｇ／Ｌであった。
【００５３】
このように、汚染土壌２０からフィルターを通り抜けた０．４５μｍ以下の微粒子、すなわち微細な土粒子５０及びコロイド５２に砒素６０が付着していることが確認された。
【００５４】
［分散剤の効果］
洗浄水８０、すなわち分散剤（アクリル酸系重合物（(株)テルナイト製の「テルフローＥ」）の分散作用による砒素６０の除去効果の検証実験について説明する。
【００５５】
図６に示すように、実験装置１６０は、カラム１６２とポンプ１７０と液体容器１７２とを含んで構成されている。カラム１６２には汚染土壌２０が充填されている。また、カラム１６２における排水側の端部にはグラスウール１６６が設けられている。液体容器１７２には洗浄水（分散剤を含む水）８０が入れられている。そして、ポンプ１７０によって、洗浄水８０を通水し、グラスウール１６６を通過して排水された排液中の砒素６０（図２参照）の量を測定する。なお、微細な土粒子５０及びコロイド５２はグラスウール１６６を通過する。また、比較例として分散剤を含まない水でも同様の実験を行った。
【００５６】
図７に示すグラフに実験結果が示されている。なお、グラフの横軸は通水回数（通水量／土壌の間隙）を示し、縦軸は排液中の砒素の累積量（ｍｇ）を示している。そして、このグラフから判るように、洗浄水８０の方が水よりも約７倍多く砒素６０が除去された。また、目標とする砒素除去量２．１ｍｇを１０回の通水でクリアした。なお、この目標とする砒素除去量は、土壌環境基準（０．０１ｍｇ／Ｌ以下）を達成するために必要な量である。
【００５７】
このように、砒素６０が吸着した土粒子５０及びコロイド５２が洗浄水８０に分散し排出されることが確認された。また、分散剤を含まない水を通水しても砒素６０を排出する効果は低いことが確認された。つまり、洗浄水８０、すなわち分散剤（アクリル酸系重合物（(株)テルナイト製の「テルフローＥ」））の分散作用による砒素６０の除去効果が、確認された。
【００５８】
また、この実験から、目標とする砒素除去量２．１ｍｇをクリアする通水量とカラム１６２に充填した汚染土壌２０の量とから、現地地盤１０における土壌環境基準（０．０１ｍｇ／L以下）をクリアするために必要な通水量を計算することがきる。
【００５９】
＜その他＞
尚、本発明は上記実施形態に限定されない。
【００６０】
上記実施形態では、分散剤は、アクリル酸系重合物（図３参照）を用いたが、これに限定されない。ただし、アクリル酸系重合物は中性から弱アルカリ性であり、土壌のｐＨの変化を小さくすることができる観点からは、アクリル酸系重合物が望ましい。
分散剤としては、土粒子及びコロイドの分散に有用なものであれば、特に制限はないが、ポリカルボン酸及びその塩、フミン酸塩、リグニンスルホン酸塩、ヘキサメタリン酸塩、ピロリン酸塩、及びトリポリリン酸塩などから選択される化合物が挙げられ、塩としては、ナトリウム塩、カリウム塩などのアルカリ金属塩、炭酸塩などが好ましい。
より具体的には、ヘキサメタリン酸ナトリウム溶液、ピロリン酸ナトリウム溶液、トリポリリン酸ナトリウム溶液などのリン酸塩水溶液が挙げられる。ポリカルボン酸としては、アクリル酸由来のモノマーを含んで構成される重合体、共重合体であるポリアクリル酸及びそのナトリウム塩、カリウム塩など好ましい。
なかでも、ポリカルボン酸塩系の高分子化合物であるポリアクリル酸及びその塩が、水に分散、溶解した場合、中性から弱アルカリ性の性状を示し、土壌のｐＨ変化が、他の分散剤に比較して低く抑えられる点、及び、土粒子に対する吸着性、分散安定性が良好である点などから好ましい。
本発明に使用しうる分散剤は、市販品としても入手可能であり、例えば、ポリカルボン酸系化合物としては、セメント分散剤として公知のテルフローＥ（商品名：テルナイト社製：ポリカルボン酸／ポリアクリル酸塩複合物）、テルフローＭＸ（商品名：テルナイト社製：ポリカルボン酸炭酸塩）、アロンＡＫフロー/ＡＫフロー(Ｂ)（商品名：ＡＫテクノ社製、ポリカルボン酸塩／重炭酸ソーダ／炭酸ソーダ）、レオフローＡ−１０００（商品名：ライオン社製、ポリカルボン酸系高分子水溶液）、ジオスパーＦ１、Ｋ（商品名：フローリック社製、ポリカルボン酸系高分子化合物、オキシカルボン酸塩）などが挙げられ、これらは本発明に好適に使用しうる。
更に、複数種類の分散剤を含む洗浄水を注水してもよい。
【００６１】
また、上記実施形態では、汚染土壌２０に含まれる重金属類は砒素６０であり、この砒素６０の除去に本発明を適用したが、これに限定されない。例えば、セレン、ふっ素、六価クロム、ホウ素、鉛、水銀、シアン、及びカドミウムの除去にも本発明を適用することができる。また、複数種類の重金属類が含まれる汚染土壌の浄化にも本発明を適用することができる。言い換えると、土粒子及びコロイドに付着した重金属類の浄化に本発明を適用することができる。
【００６２】
また、上記実施形態では振動装置１３０で地下水１８を振動させて、砒素６０が吸着した土粒子５０及びコロイド５２の地下水１８への分散を促進させたが、これに限定されない。振動装置１３０が設けられていなくてもよい（振動装置１３０の設置は必須ではない）。
【００６３】
更に、本発明の要旨を逸脱しない範囲において、種々なる態様で実施し得ることは言うまでもない
【符号の説明】
【００６４】
１０      地盤
２０      汚染土壌
５０      土粒子
５２      コロイド
６０      砒素（重金属類の一例）
８０      洗浄水（分散剤を含む水）
１００      浄化装置
１１０      注水井戸
１２０      揚水井戸
１３０      振動装置（振動手段の一例）
【図１】
2014079713.tif 000003
【図２】
2014079713.tif 000004
【図３】
2014079713.tif 000005
【図４】
2014079713.tif 000006
【図５】
2014079713.tif 000007
【図６】
2014079713.tif 000008
【図７】
2014079713.tif 000009